(57)【要約】      （修正有）【課題】組付け加工し易く、応用範囲の広い超薄型ろ波器の構造を提供する。【解決手段】中央箇所に中空部を有し、各端角部には斜め方向で切除した切欠き部がそれぞれ設けられている鉄芯２と、鉄芯２の外周形状に適合して鉄芯２を収容するための収容凹部が設けられており、鉄芯２の中空部内に差し込み可能で貫通穴を有する中央座部がその中央に設けられており、収容凹部の反対側には導線収容空間が設けられている台座１と、その中央には鉄芯２の中空部内に差し込み可能であるとともに、台座１の中央座部に当接し、台座１と係合して鉄芯２を挟持することができ、貫通穴３２１を有する中央凸部が設けられており、中央凸部から離れた側には導線収容空間が設けられるとともに、台座１の導線収容空間と上部カバーの導線収容空間とがコイル４を同時に巻回することができる構造とされる、台座１の収容凹部の上方に設けられた上部カバー３と、を備える。【選択図】図４
0003190466.tif 000002
【実用新案登録請求の範囲】
【請求項１】
超薄型ろ波器の構造であって、
中央箇所に中空部を有し、各端角部には斜め方向で切除した切欠き部がそれぞれ設けられている鉄芯と、
前記鉄芯の外周形状に適合して鉄芯を収容するための収容凹部が設けられており、前記鉄芯の中空部内に差し込み可能で貫通穴を有する中央座部がその中央に設けられており、また収容凹部の反対側には導線収容空間が設けられている台座と、
その中央には前記鉄芯の中空部内に差し込み可能であるとともに、前記台座の中央部座に当接して、前記上部カバーは台座と係合して前記鉄芯を挟持することができ貫通穴を有する中央凸部が設けられており、また中央凸部から離れた側には導線収容空間が設けられるとともに、前記台座の導線収容空間と上部カバーの導線収容空間とがコイルを同時に巻回することができる構造とされる、前記台座の収容凹部の上方に設けられた上部カバーと、を備えた、ことを特徴とする超薄型ろ波器の構造。
【請求項２】
前記導線収容空間の中段部分には、前記コイルを中央から両側側部に向けて巻回する開始位置とすることができる突出した仕切部がそれぞれ設けられている、ことを特徴とする請求項１に記載の超薄型ろ波器の構造。
【請求項３】
前記台座にて収容凹部の周側には突起したストッパ部が設けられており、しかも前記台座にて鉄芯に対応する各切欠き部の側部箇所には、前記コイルを接続する導線柱がそれぞれ設けられている、ことを特徴とする請求項１または２に記載の超薄型ろ波器の構造。
【請求項４】
前記複数のストッパ部には対応する二つの位置決め凹部が設けられている、ことを特徴とする請求項３に記載の超薄型ろ波器の構造。
【請求項５】
前記鉄芯にて二つの位置決め凹部に対応して延伸する方向には凹溝が設けられている、ことを特徴とする請求項４に記載の超薄型ろ波器の構造。
【請求項６】
前記中央座部にて貫通穴の周側には結合部が設けられており、そして前記中央凸部の外周側には前記結合部に接合可能な被結合部が設けられている、ことを特徴とする請求項１または２に記載の超薄型ろ波器の構造。
【請求項７】
前記中央座部にて貫通穴の周側には前記結合部が設けられており、そして前記中央凸部の外周側には前記結合部に接合可能な被結合部が設けられている、ことを特徴とする請求項３に記載の超薄型ろ波器の構造。
【請求項８】
前記中央座部にて貫通穴の周側には前記結合部が設けられており、そして前記中央凸部の外周側には前記結合部に接合可能な被結合部が設けられており、しかも前記結合部及び前記被結合部が互いに嵌合可能な周回凸縁、周回凹縁である、ことを特徴とする請求項４に記載の超薄型ろ波器の構造。
【請求項９】
前記結合部及び前記被結合部が互いに嵌合可能な周回凸縁、周回凹縁である、ことを特徴とする請求項６に記載の超薄型ろ波器の構造。
【請求項１０】
前記結合部及び前記被結合部が互いに嵌合可能な周回凸縁、周回凹縁である、ことを特徴とする請求項７に記載の超薄型ろ波器の構造。
【考案の詳細な説明】
【技術分野】
【０００１】
本考案は超薄型ろ波器の構造に関し、特に組付け加工しやすいうえ、応用範囲の広い超薄型ろ波器の構造に関する。
【背景技術】
【０００２】
一般的に電力又は電子信号は伝送過程において抵抗値の異なる媒体を通過することで、さまざまな状況の干渉を引き起こすうえ、干渉及び減衰した電力又は電子信号はさまざまなノイズが発生し、コンピュータ又は各種電子機器の正常な動作に影響を及ぼすため、電磁波干渉の障害（ＥＭＩ）を防止するとともにノイズを除去する各種ろ波器（フィルター）が各種電気機器（例えばコンピュータ、テレビ受像機、オーディオ）中に広く応用されている。
【０００３】
特許文献１によれば、位置決め構造と、複数のボビンと、第１のコイルと、第２のコイルとを備えており、前記位置決め構造は複数の組付け空間と前記位置決め構造周囲に配置されている複数の導電ピンとを有しており、前記複数のボビンは前記複数の組付け空間内にそれぞれ固定されており、各々のボビンには第１の軸部と第２の軸部とを有しており、前記第１のコイルが異なるボビンを跨り前記複数の第１の軸部に巻回されており、前記第２のコイルが異なるボビンを跨り前記複数の第２の軸部に巻回されており、前記第１のコイルおよび第２のコイルが前記複数の台座に並んで接続されることで、前記複数のボビンの第１の軸部及び第２の軸部を介して、より長く又は線の直径がより大きな第１のコイル及び第２のコイルが巻回して、前記ろ波器に適用される電力又は電流量を大きくすることができ、大電力、大電流の電気機器の要求に適合させることができる。
【０００４】
しかしながら、このような構造は応用において以下の欠陥がある。
１．そのボビンにおける第１、第２の軸部はいずれも断面が円形であるため、各コイルの巻回過程において、もし不注意で締め付けなかったとき、先に巻回した導線が大量に緩んでしまい、作業者が繰り返しの調整に長い時間を費やさなければならず、生産加工時の悩みとなっていた。
２．前記ボビンの周側の線収容空間が単一の空間として設けられていることから、線の巻回時に一端からしか巻き始めることができず、線の巻回過程において、導線は導電を供給する導線のボビンから引き出されるが、前記導線のボビン及び導線の繰り出しが長くなり、巻回加工時の不便を来してしまう。
３．前記位置決め構造の各導電ピンが外周縁に設けられるとともに外向けに突出していることから、周側の空間を占有してしまい、製品の小型精密化の設計の趨勢には不利となる。
【０００５】
また特許文献２によれば、台座と前記台座に載置されている磁心とを備えており、前記磁心は並行する二つのベースと、両端が前記複数のベースにそれぞれ結合されている二つのコイル柱とを備えており、前記コイル柱は前記コイル柱の中心にて鏡面対称となる二つの第１の表面を有しており、第１の軸方向に沿ったコイル柱の幅が二つの第１の表面外縁の間で画成されるコイル柱の厚さ以上であることを特徴としており、上述した技術的特徴により、前記コイル柱の形態は楕円形又は長方形として設定することができることから、前記コイル柱を、一方向に細長く、他方向には狭くなる形態として形成することができることにより、さらに前記コイル柱の厚さをさらに圧縮して、前記電源ろ波器全体の厚みを削減することができ、当業者がより薄型の製品を設計できる空間を創出することができる。
【０００６】
このような構造では、磁心は確かに断面が非円形である二つのコイル柱を備えることで、上記した線の巻回時の不注意で緩んでしまう不具合を改善するものの、なおも一つの線収容空間及びピンが外側に突出している設計があるため、運用時に上記した関連する欠陥が発生することを回避することは難しい。
【０００７】
従来における関連するろ波器の設計上の上記欠点に鑑み、考案者はこれら欠点について研究・改善を模索することで、ついに本考案を創出した。
【先行技術文献】
【特許文献】
【０００８】
【特許文献１】台湾実用新案公告第Ｍ４０１８４５号「多機能電源ろ波器」
【特許文献２】台湾実用新案公告第Ｍ４００１６０号「ＬＥＤ駆動回路の超薄型多機能コモンモードチョーク電源ろ波器」
【考案の概要】
【考案が解決しようとする課題】
【０００９】
本考案の主な目的は、高さを低減するという基本的な薄型化設計の前提において、そのコイルの線収容空間の中段部分に仕切部を設けて、前記コイルの中央から両側側部に向けて線を巻回する開始位置とすることで、線の巻回作業を簡素化する、超薄型ろ波器の構造を提供するところにある。
【００１０】
本考案の他の目的は、鉄心の各端角部に、台座に導線柱を対応して設けるための切欠き部をそれぞれ設けることで、占有空間をより効果的に節約する、超薄型ろ波器の構造を提供するところにある。
【００１１】
本考案のさらに他の目的は、ボビンの各導線収容空間は断面が扁平長尺形状をなすことで、線の巻回時の不注意で緩んでも、従来のコイルの導線のように大量に緩んでしまうことはなく、これにより後続の処理にかかる時間及び精神的労力を低減する、超薄型ろ波器の構造を提供するところにある。
【課題を解決するための手段】
【００１２】
本考案では上記目的及び効果を達成するために、その採用する技術的手段には以下の内容が含まれる。中央箇所に中空部を有し、各端角部には斜め方向で切除した切欠き部がそれぞれ設けられている鉄芯と；前記鉄芯の外周形状に適合して鉄芯を収容するための収容凹部が設けられており、前記鉄芯の中空部内に差し込み可能で貫通穴を有する中央座部がその中央に設けられており、また収容凹部の反対側には導線収容空間が設けられている台座と；その中央には前記鉄芯の中空部内に差し込み可能であるとともに、前記台座の中央部座に当接して、上部カバーは台座と係合して前記鉄芯を挟持することができる貫通穴を有する中央凸部が設けられており、また中央凸部から離れた側には導線収容空間が設けられるとともに、前記台座の導線収容空間と上部カバーの導線収容空間とがコイルを同時に巻回することができる構造とされる、前記台座の収容凹部の上方に設けられた上部カバーと、を備える。
【００１３】
上記構造により、前記導線収容空間の中段部分には、前記コイルを中央から両側側部に向けて巻回する開始位置とすることができる突出した仕切部がそれぞれ設けられている。
【００１４】
上記構造により、前記台座にて収容凹部の周側には突起したストッパ部が設けられている。
【００１５】
上記構造により、前記複数のストッパ部には対応する二つの位置決め凹部が設けられている。
【００１６】
上記構造により、前記鉄芯にて二つの位置決め凹部に対応して延伸する方向には凹溝が設けられている。
【００１７】
上記構造により、前記中央座部にて貫通穴の周側には結合部が設けられており、そして前記中央凸部の外周側には前記結合部に接合可能な被結合部が設けられている。
【００１８】
上記構造により、前記結合部及び被結合部が互いに嵌合可能な周回凸縁、周回凹縁である。
【００１９】
上記構造により、前記台座にて鉄芯に対応する各切欠き部の側部箇所には、前記コイルを接続する導線柱がそれぞれ設けられている。
【００２０】
本考案の詳細な構造、運用原理、作用及び効果については、下記にある図面に基づく説明で完全に理解することができる。
【図面の簡単な説明】
【００２１】
【図１】本考案の構造分解図である。
【図２】本考案の一部組み合わせ模式図（一）である。
【図３】本考案の一部組み合わせ模式図（二）である。
【図４】本考案の全体組み合わせ外観図である。
【考案を実施するための形態】
【００２２】
図１を参照されたい。これから分かるように、本考案の構造では主に、鉄芯２と、台座１、上部カバー３からなるボビンＡなどとの二つの部分を備えており、このうち前記鉄芯２は少なくとも一つの表面側中段部分に横方向で凹溝２１が貫設されており、前記凹溝２１の中央には中空部２２が設けられており、しかも前記鉄芯２は中空部２２の両側側部にて断面が扁平長尺形状となる構造をそれぞれ形成しており、また前記鉄芯２の各端角部には斜め方向で切除した切欠き部２３がそれぞれ設けられている。そして前記台座１は前記鉄芯２を収容可能な収容凹部１１を有しており、前記収容凹部１１の中央には貫通穴１２１を有する中央座部１２が設けられており、しかも前記中央座部１２は鉄芯２の中空部２２に対応しており、前記中央座部１２にて貫通穴１２１の周側には結合部１２２（周回凹縁としてもよい）が設けられている。前記台座１の収容凹部１１の各端角部には突起したストッパ部１３がそれぞれ設けられており、前記複数のストッパ部１３は前記鉄芯２の各切欠き部２３にそれぞれ対応し、かつ各切欠き部２３の側部には必要に応じて導線柱１４を設けることができる。そして各ストッパ部１３の間には対応する二つの位置決め凹部１３１が設けられており、前記二つの位置決め凹部１３１は前記鉄芯２の凹溝２１の端部に対応して接合し、また前記台座１の収容凹部１１の裏側には前記二つの位置決め凹部１３１に沿って延伸する導線収容空間１５が設けられており、前記導線収容空間１５の中段部分には突起した仕切部１５１が少なくとも一つを設けられている。上部カバー３が前記二つの位置決め凹部１３１に係合可能に設けられており、前記上部カバー３の中央には貫通穴３２１を有する中央凸部３２が設けられており、前記中央凸部３２は前記鉄芯２の中空部２２に対応し、前記中央凸部３２の外周側には被結合部３２２（周回凸縁としてもよい）が設けられるとともに、前記上部カバー３の上面側の貫通穴３２１の両側側部には導線収容空間３１がそれぞれ設けられており、前記各導線収容空間３１における中段部分には突起した仕切部３１１が少なくとも一つのを設けられており、また前記上部カバー３の両側側部には当て止め板３３がそれぞれ設けられており、前記二つの当て止め板３３は前記台座１の二つの位置決め凹部１３１の外側側部にそれぞれ対応しており、しかも前記二つの当て止め板３３の両端には外向きに突出する側翼部３３１がそれぞれ設けられている。
【００２３】
図２ないし図４を参照されたい。これから分かるように、本考案の上記構造では組み付け時に、前記鉄芯２を前記台座１の収容凹部１１内に配置するとともに、前記台座１の中央座部１２に合わせて下方から鉄芯２の中空部２２に差し込んで位置決めし、そして前記上部カバー３は前記鉄芯２の凹溝２１内に配置することができるとともに、前記中央凸部３２をもって前記鉄芯２の中空部２２内に上方から差し込み、前記被結合部３２２（周回凸縁）が前記台座１の結合部１２２（周回凹縁）内に嵌合した後、さらに前記二つの当て止め板３３の側翼部３３１に合わせて前記台座１における二つの位置決め凹部１３１の外側側部に当て止めして、前記上部カバー３と前記台座１とで前記鉄芯２を挟持するとともにしっかりと位置決めすることができる。その後、前記仕切部１５１、３１１を線巻回の開始点として、両側側部にむけてコイル４を前記導線収容空間１５、３１内に巻回して、最後、前記コイル４の二つの端部４１、４２は前記各導線柱１４にそれぞれ接続することができる。
【００２４】
本考案に係る上記構造では、仕切部１５１、３１１を前記コイル４の中央から両側側部に向けて線を巻回する開始位置とすることができるため、線の巻線過程において両側に向けて巻回することで導線の長さを短く保つことができ、巻回の作業を簡素化するのに有利となり、しかも前記上部カバー３が前記台座１を覆合してボビンＡの構造を形成することで、組み付けも簡便になり、同時に、前記鉄芯２は中空部２２の両側側部にてコイルの一部が扁平長尺形状の断面形状を持つようそれぞれ形成する構造設計とすることで、線の巻回での不注意で手が緩んでしまっても、先に巻回した導線が大量に緩んでしまうことはなく、後続の処理にかかる時間及び精神的労力を低減して、線の巻回作業をより効率化できる。
【００２５】
本考案のこのような構造では、台座１の各導線柱１４を鉄芯２における切欠き部２３に対応する位置に設けることで、前記台座１の各辺側から突出することがなくなり、過度に大きく予想外の空間を占めるようなことを回避することができ、これにより全体の空間利用率を向上している。
【産業上の利用可能性】
【００２６】
上記から分かるように、本考案の超薄型ろ波器の構造は小型化、組み付け加工の簡素化する効果を確かに備えていることから、産業上の利用可能性、新規性及び進歩性を備えることは間違いない。
【００２７】
上記したものは、単に本考案の一好ましい実施例に過ぎず、本考案の範囲を限定するためのものではない。本考案のクレームによりなされる均等の変化及び付加は、いずれも本考案のクレームの範囲に含まれるものである。
【符号の説明】
【００２８】
Ａ ボビン
１ 台座
１１ 収容凹部
１２ 中央座部
１２１、３２１ 貫通穴
１２２ 結合部
１３ ストッパ部
１３１ 位置決め凹部
１４ 導線柱
１５、３１ 導線収容空間
１５１、３１１ 仕切部
２ 鉄芯
２１ 凹溝
２２ 中空部
２３ 切欠き部
３ 上部カバー
３２ 中央凸部
３２２ 被結合部
３３ 当て止め板
３３１ 側翼部
４ コイル
４１、４２ 端部
【図１】
0003190466.tif 000003
【図２】
0003190466.tif 000004
【図３】
0003190466.tif 000005
【図４】
0003190466.tif 000006
【手続補正書】
【提出日】平成26年3月10日(2014.3.10)
【手続補正１】
【補正対象書類名】実用新案登録請求の範囲
【補正対象項目名】全文
【補正方法】変更
【補正の内容】
【実用新案登録請求の範囲】
【請求項１】
超薄型ろ波器の構造であって、
中央箇所に中空部を有し、各端角部には斜め方向で切除した切欠き部がそれぞれ設けられている鉄芯と、
前記鉄芯の外周形状に適合して鉄芯を収容するための収容凹部が設けられており、前記鉄芯の中空部内に差し込み可能で貫通穴を有する中央座部がその中央に設けられており、また収容凹部の反対側には導線収容空間が設けられている台座と、
その中央には前記鉄芯の中空部内に差し込み可能であるとともに、前記台座の中央座部に当接し、台座と係合して前記鉄芯を挟持することができ、貫通穴を有する中央凸部が設けられており、また中央凸部から離れた側には導線収容空間が設けられるとともに、前記台座の導線収容空間と上部カバーの導線収容空間とがコイルを同時に巻回することができる構造とされる、前記台座の収容凹部の上方に設けられた上部カバーと、を備えた、ことを特徴とする超薄型ろ波器の構造。
【請求項２】
前記導線収容空間の中段部分には、前記コイルを中央から両側側部に向けて巻回する開始位置とすることができる突出した仕切部がそれぞれ設けられている、ことを特徴とする請求項１に記載の超薄型ろ波器の構造。
【請求項３】
前記台座にて収容凹部の周側には突起したストッパ部が設けられており、しかも前記台座にて鉄芯に対応する各切欠き部の側部箇所には、前記コイルを接続する導線柱がそれぞれ設けられている、ことを特徴とする請求項１または２に記載の超薄型ろ波器の構造。
【請求項４】
前記複数のストッパ部には対応する二つの位置決め凹部が設けられている、ことを特徴とする請求項３に記載の超薄型ろ波器の構造。
【請求項５】
前記鉄芯にて二つの位置決め凹部に対応して延伸する方向には凹溝が設けられている、ことを特徴とする請求項４に記載の超薄型ろ波器の構造。
【請求項６】
前記中央座部にて貫通穴の周側には結合部が設けられており、そして前記中央凸部の外周側には前記結合部に接合可能な被結合部が設けられている、ことを特徴とする請求項１または２に記載の超薄型ろ波器の構造。
【請求項７】
前記結合部及び前記被結合部が互いに嵌合可能な周回凸縁、周回凹縁である、ことを特徴とする請求項６に記載の超薄型ろ波器の構造。